(57)【要約】【課題】大幅に軽量化された玩具銃管材構造を提供する。【解決手段】玩具銃管材構造は、外管２、内管３及び銃腔を備える。前記外管２は、外側に外管外壁２１を有し、内側に外管内壁２２を有する。前記内管３は、前記外管２内に継ぎ目無く押し入れられ、前記内管３の外側には、前記外管内壁２２に密着される内管外壁３１が設けられ、前記内管３の内側には内管内壁３２が設けられ、前記内管３内には銃腔が形成される。前記外管２及び前記内管３はそれぞれ異なる材料からなるとともに、前記外管２の材質の重量は、前記内管３の材質の重量より軽く、前記外管２の材質の硬さは、前記内管３の材質の硬さより柔らかく、前記外管２及び前記内管３は、組合わせる前に中実状管であり、前記外管２内に前記内管３が押し入れられて玩具銃管材が軽量化される。【選択図】図２
0003214312.tif 000002
【実用新案登録請求の範囲】
【請求項１】
外管、内管及び銃腔を備えた玩具銃管材構造であって、
前記外管は、外側に外管外壁を有し、内側に外管内壁を有し、
前記内管は、前記外管内に継ぎ目無く押し入れられ、前記内管の外側には、前記外管内壁に密着される内管外壁が設けられ、前記内管の内側には内管内壁が設けられ、前記内管内には銃腔が形成され、
前記外管及び前記内管はそれぞれ異なる材料からなるとともに、前記外管の材質の重量は、前記内管の材質の重量より軽く、前記外管の材質の硬さは、前記内管の材質の硬さより柔らかく、前記外管及び前記内管は、組合わせる前に中実状管であり、前記外管内に前記内管が押し入れられて玩具銃管材が軽量化されることを特徴とする玩具銃管材構造。
【請求項２】
前記外管に前記内管が押し入れられた後、真円の大きめの孔部により前記内管内に押し入れられ、前記内管に前記内管内壁が形成され、前記真円の大きめの孔部を除去すると、前記内管内に銃腔が形成され、前記銃腔は真円であり、前記内管と前記外管とを組み合わせた後の管材密度が高まることを特徴とする請求項１に記載の玩具銃管材構造。
【請求項３】
前記内管内壁には、複数本のライフリングが形成されていることを特徴とする請求項１に記載の玩具銃管材構造。
【請求項４】
前記外管は、少なくとも１つの外管引き込みセクションを有することを特徴とする請求項１に記載の玩具銃管材構造。
【請求項５】
前記内管は、少なくとも１つの内管引き込みセクションを有し、
前記内管引き込みセクションは、外管引き込みセクションに継ぎ目無く密着されることを特徴とする請求項３に記載の玩具銃管材構造。
【請求項６】
前記内管は鋼管であることを特徴とする請求項１に記載の玩具銃管材構造。
【請求項７】
前記内管は鉄管であることを特徴とする請求項１に記載の玩具銃管材構造。
【請求項８】
前記外管はアルミニウム管であることを特徴とする請求項１に記載の玩具銃管材構造。
【考案の詳細な説明】
【技術分野】
【０００１】
本考案は、玩具銃管材に関し、特に、大幅に軽量化された玩具銃管材構造に関する。
【背景技術】
【０００２】
玩具銃は、構造及び形態が実銃に似せて作られるため、玩具銃の種類は非常に多い。従来の玩具銃は、銃管を加工する際、単一の金属材料により製作され、その銃管は、鋼、鉄などの硬金属からなり、銃管を成形してから銃管内にライフリング及びチョークが加工される。そのため玩具銃から弾頭が発射される際、ライフリング及びチョークにより弾頭が自転して威力が高まる。玩具銃の銃管内には上述したライフリング及びチョークが成形されることを前提に、その銃管が硬金属により成形されるが、硬金属の鋼、鉄などの材質は重量が大きく、玩具銃全体の重量が増加するため、使用し難かった。
【０００３】
そのため、上述したような従来の欠点を改善する玩具銃管材構造が求められていた。
【考案の概要】
【考案が解決しようとする課題】
【０００４】
本考案の主な目的は、大幅に軽量化された玩具銃管材構造を提供することにある。
【課題を解決するための手段】
【０００５】
上記課題を解決するために、本考案の第１の形態によれば、外管、内管及び銃腔を備えた玩具銃管材構造であって、前記外管は、外側に外管外壁を有し、内側に外管内壁を有し、前記内管は、前記外管内に継ぎ目無く押し入れられ、前記内管の外側には、前記外管内壁に密着される内管外壁が設けられ、前記内管の内側には内管内壁が設けられ、前記内管内には銃腔が形成され、前記外管及び前記内管はそれぞれ異なる材料からなるとともに、前記外管の材質の重量は、前記内管の材質の重量より軽く、前記外管の材質の硬さは、前記内管の材質の硬さより柔らかく、前記外管及び前記内管は、組合わせる前に中実状管であり、前記外管内に前記内管が押し入れられて玩具銃管材が軽量化されることを特徴とする玩具銃管材構造が提供される。
【考案の効果】
【０００６】
本考案の玩具銃管材構造は、大幅に軽量化することができる。
【図面の簡単な説明】
【０００７】
【図１】図１は、本考案の一実施形態に係る玩具銃管材構造を示す斜視図である。
【図２】図２は、本考案の一実施形態に係る玩具銃管材構造を示す断面図である。
【図３】図３は、本考案の一実施形態に係る玩具銃管材構造を示す実施図（１）である。
【図４】図４は、本考案の一実施形態に係る玩具銃管材構造を示す実施図（２）である。
【図５】図５は、本考案の一実施形態に係る玩具銃管材構造を示す実施図（３）である。
【図６】図６は、本考案の一実施形態に係る玩具銃管材構造を示す断面図である。
【考案を実施するための形態】
【０００８】
以下、本考案の実施形態について図に基づいて説明する。なお、これによって本考案が限定されるものではない。
【０００９】
図１及び図２を参照する。図１は、本考案の一実施形態に係る玩具銃管材構造を示す斜視図である。図２は、本考案の一実施形態に係る玩具銃管材構造を示す断面図である。図１及び図２に示すように、本考案の一実施形態に係る玩具銃管材構造の玩具銃管材１は、少なくとも外管２及び内管３から構成されてなる。外管２の外側には、外管外壁２１が設けられる。外管外壁２１の表面は平滑面であり、外管２の内側には、外管内壁２２が設けられる。内管３は、外管２内に設置されるとともに、外管内壁２２に対向配置される。内管３は、外側に内管外壁３１を有し、内側に内管内壁３２を有する。内管３内には銃腔３３が形成されている。銃腔３３には、上述した内管３が挿設される。
【００１０】
図３〜図６を参照する。図３は、本考案の一実施形態に係る玩具銃管材構造を示す実施図（１）である。図４は、本考案の一実施形態に係る玩具銃管材構造を示す実施図（２）である。図５は、本考案の一実施形態に係る玩具銃管材構造を示す実施図（３）である。図６は、本考案の一実施形態に係る玩具銃管材構造を示す断面図である。図３〜図６に示すように、玩具銃管材１は、少なくとも外管２及び内管３から構成されてなる。上述した外管２及び内管３はそれぞれ異なる材料からなる。上述した外管２の材質の重量は、内管３の材質の重量より軽く、上述した外管２の材質の硬さは、内管３の材質の硬さより柔らかい。本実施形態において、外管２はアルミニウム管であり、内管３は鋼管又は鉄管である。外管２と内管３とを組立てる前に、外管２は中実状のアルミニウム管であり、内管３は中実状の鋼管又は鉄管であり、上述した内管３を外管２内に押し入れ、外管２に外管内壁２２が形成される。内管外壁３１は、外管内壁２２に継ぎ目無く密着され、内管３が外管２に押し入れられた後、真円の大きめの孔部４により内管３内に押し入れられ、上述した内管３が内管内壁３２に形成され、上述した真円の大きめの孔部４を除去すると、内管３内に銃腔３３が形成され、銃腔３３は真円であり、外管２と内管３とを強固に組み合わせて管材密度を高めた後、内管内壁３２に複数本のライフリング３４を加工し、玩具銃管材１にチョークを加工し、上述した外管２に少なくとも１つの外管引き込みセクション２３が形成され、上述した内管３に少なくとも１つの内管引き込みセクション３５が形成される。内管引き込みセクション３５は、上述した外管引き込みセクション２３に継ぎ目無く密着される。外管２の材質の重量は、内管３の材質の重量より軽い。上述した内管３が鋼管又は鉄管であり、上述した外管２がアルミニウム管であるため、玩具銃管材１を軽量化させることができる。上述した内管３には、同様に複数本のライフリング３４が加工され、上述した外管２及び上述した内管３には、同様にチョークが加工されているため、上述した玩具銃管材１により弾頭が自転し、弾道の正確性及び銃の威力が高まる。
【００１１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１２】
１    玩具銃管材
２    外管
３    内管
４    真円の大きめの孔部
２１  外管外壁
２２  外管内壁
２３  外管引き込みセクション
３１  内管外壁
３２  内管内壁
３３  銃腔
３４  複数本のライフリング
３５  内管引き込みセクション
【図１】
0003214312.tif 000003
【図２】
0003214312.tif 000004
【図３】
0003214312.tif 000005
【図４】
0003214312.tif 000006
【図５】
0003214312.tif 000007
【図６】
0003214312.tif 000008
【手続補正書】
【提出日】平成29年11月6日(2017.11.6)
【手続補正１】
【補正対象書類名】実用新案登録請求の範囲
【補正対象項目名】全文
【補正方法】変更
【補正の内容】
【実用新案登録請求の範囲】
【請求項１】
外管、内管及び銃腔を備えた玩具銃管材構造であって、
前記外管は、外側に外管外壁を有し、内側に外管内壁を有し、
前記内管は、前記外管内に継ぎ目無く押し入れられ、前記内管の外側には、前記外管内壁に密着される内管外壁が設けられ、前記内管の内側には内管内壁が設けられ、前記内管内には銃腔が形成され、
前記外管及び前記内管はそれぞれ異なる材料からなるとともに、前記外管の材質の重量は、前記内管の材質の重量より軽く、前記外管の材質の硬さは、前記内管の材質の硬さより柔らかく、前記外管及び前記内管は、組合わせる前に中実状管であり、前記外管内に前記内管が押し入れられて玩具銃管材が軽量化されることを特徴とする玩具銃管材構造。
【請求項２】
前記外管に前記内管が押し入れられた後、真円の大きめの孔部により前記内管内に押し入れられ、前記内管に前記内管内壁が形成され、前記真円の大きめの孔部を除去すると、前記内管内に銃腔が形成され、前記銃腔は真円であり、前記内管と前記外管とを組み合わせた後の管材密度が高まることを特徴とする請求項１に記載の玩具銃管材構造。
【請求項３】
前記内管内壁には、複数本のライフリングが形成されていることを特徴とする請求項１に記載の玩具銃管材構造。
【請求項４】
前記外管は、少なくとも１つの外管引き込みセクションを有することを特徴とする請求項１に記載の玩具銃管材構造。
【請求項５】
前記内管は、少なくとも１つの内管引き込みセクションを有し、
前記内管引き込みセクションは、前記外管引き込みセクションに継ぎ目無く密着されることを特徴とする請求項４に記載の玩具銃管材構造。
【請求項６】
前記内管は鋼管であることを特徴とする請求項１に記載の玩具銃管材構造。
【請求項７】
前記内管は鉄管であることを特徴とする請求項１に記載の玩具銃管材構造。
【請求項８】
前記外管はアルミニウム管であることを特徴とする請求項１に記載の玩具銃管材構造。